(57)【要約】      （修正有）【課題】器具の弾性力を利用するという技術手段を採用することによって、塗料容器内における複数の異なる種類の刷毛の高さの微細な調節を、随意にワン・タッチで簡単かつ確実な操作で、効率よくスムーズに行なえる塗装補助具を提供する。【解決手段】全体を弾力性を持たせることのできる合成樹脂で一体成型し、塗装容器の内面に接する内接片１と内接片の上縁に設けた複数の挟持片２とで、容器の上縁部をくわえこむ形の係止部３をつくり、内接片に容器の内方へ突出する複数の保持体４を設け、保持体をハ字状の導入部５と導入部に続く首部６と首部に続いて首部と内接片との間に形成される腹部７とから成る形にし、首部の横断面の径を通常使用される各種の刷毛の柄部の長方形の横断面の短辺よりそれぞれ若干短いものとし、首部から内接片までの長さを柄部の横断面の長辺とほぼ同じものとした。【選択図】図１
0003196040.tif 000002
【実用新案登録請求の範囲】
【請求項１】
塗料容器の口縁に係止し刷毛を容器内に保持しておく塗装補助具において、
全体をシンナーなどの溶剤に溶けずかつ弾力性を持たせることのできる合成樹脂で一体成型し、塗装容器の内面に接する内接片と内接片の上縁に設けた複数の挟持片とで、容器の上縁部をくわえこむ形の係止部をつくり、前記内接片に容器の内方へ突出する複数の保持体を設け、該保持体をハ字状の導入部と導入部に続く首部と首部に続いて首部と内接片との間に形成される腹部とから成る形にし、前記首部の横断面の径を通常使用される各種の刷毛の柄部の長方形の横断面の短辺よりそれぞれ若干短いものとし、首部から内接片までの長さを前記柄部の横断面の長辺とほぼ同じものとしたことを特徴とする、刷毛の毛部に適度の塗料を含ませる塗装補助具。
【請求項２】
内接片と複数の挟持片とで容器の上縁部をくわえこむ係止部の形をコ字状にし、挟持片の内接片側の内面に突起を設けたことを特徴とする請求項１に記載の、刷毛の毛部に適度の塗料を含ませる塗装補助具。
【考案の詳細な説明】
【技術分野】
【０００１】  本考案は、刷毛を塗料容器の中に一時的に入れておくとき、その刷毛の毛の部分（毛部）に塗料を含ませることができるようにした塗装補助具に関する。
【背景技術】
【０００２】  刷毛を用いる塗装は、言うまでもなく刷毛の毛部に塗料を含ませて行う。具体的には、刷毛を塗料が入っている塗料容器の中に突っ込み、毛部を容器の中の塗料に浸してから、刷毛を引き上げ、壁や天井などの塗られる個所（被塗装個所）に塗料を含んだ毛部を擦り付けて行う。【０００３】  このとき、毛部に塗料をたっぷりつけすぎると、刷毛を被塗装個所に運ぶ途中で塗料がぽたぽたと落ちたりして不必要な個所を汚してしまう。また、毛部に塗料をつけ足りないと、その刷毛では一回で狭い範囲でしか塗ることができず、多くの手数を要することになる。このようなことは、実際に自ら塗装を行ったことのない人にはよくわからない。しかし、この塗料の毛部への含ませ方を適度にする（つけすぎたり、つけ足りなかったりをしないようにする）ことは、塗装を仕事にしている人（例えば、塗装職人）にとっては特に、各種の塗料や各種の刷毛を用いて行う塗装作業を、常に効率よくかつスムーズに行う上で極めて重要なことなのであり、そのコツの習得には長年の経験を要するものなのである。【０００４】  さらに、広い被塗装個所を塗装する際には、その途中で休憩をとったり用事ができたりして一時的に作業を中断しなければならない場合が生じる。
そのときは、刷毛を塗料容器の中に入れ、毛部を塗料に浸した状態にしておく。そうしないと、すなわち毛部を塗料に浸した状態にしておかないと、その後に塗装を再開するときに、毛部に付いていた塗料が固まってしまい、再開しようとしても新しい塗料を毛部に充分に含ませることができなくなってしまう。【０００５】  毛部の塗料を固まらせず、かつ塗装を再開するときに毛部に適度の塗料が含まれているようにするためには、刷毛を塗料容器の中に入れるときに、毛部を容器内の塗料中において、塗料の液面に対して常に一定の高さ位置に保持しておく必要がある。
塗料容器内の塗料の量は、作業の状況により多いときもあり少ないときもある。刷毛の毛部は、容器内の液面の高さが高かったり低かったりしている塗料の中に、常に深からず、浅からぬ適度な位置に保持されていなければならない。何故なら、深すぎれば塗料が毛部に余分につけすぎ、塗装を再開したときに塗料がぽたぽたと落ちたりし不必要なところを汚すことになり、浅すぎると一回で塗れる範囲が狭くなってしまうからである。
塗装を経験しない者には、前述の刷毛を塗料容器内に一時的に保持しておくとき、刷毛の毛部を塗料に浸しておくその深さ加減、浅さ加減がどれほど重要なことかを理解できないであろうが、塗装職人などにとっては、このことは、仕事をスムーズにかつ効率よくやっていく上で身にしみて思い知らされるものであって、日常の作業において、その解決が切に求められていた大問題なのである。【０００６】  この問題にかかわる先行技術として、特許文献１に開示されたものがある。
このものは、塗装容器内に保持しておく大刷毛の高さの調節を、器具の形をＳ字状にするという技術手段によっておこなっている。具体的には、「Ｓ字形状器具の大きな幅の曲がりの間には大刷毛の付け根部分を挟み込み、大刷毛の高さを低くしたいときには、Ｓ字形状の小さい曲がり部に刷毛の柄を挟み込む」ようにしている。すなわち、器具の形状を利用して大刷毛の高さの調節をしている。これでは、容器内における刷毛の高さを随意に微細に調節することなど到底なし得ない（技術的に見ても、それは容易にできることではない）。その上、その技術手段を除く外の異なる技術手段についてはこの先行技術は何も開示していない。ましてや、器具の弾性力を利用して容器内における刷毛の高さを塗料の液面に対し随意に微細に調節するなどという技術手段については一抹の示唆さえされていない。特許文献１には、その技術手段を発想させる文言（その発想を得る手懸り）が存在しないのである。
換言すると、この先行技術には、前述の大問題の解決にあたり、器具の弾性力という技術手段を（塗装補助具において）採用することに思い至る動機付けが、全く含まれていない。【０００７】  さらに、塗装作業においては、如上のことに加えて次の問題もある。
被塗装個所が広い範囲に亘るとき、その仕事に備えて、塗装職人などは通常複数の異なる種類の刷毛を準備し現場に持参する。そして、例えば広い平坦な個所を塗装するときは、一般用の刷毛を用い、狭い凹凸のある個所や隅などを塗装するときは、ダメコミ１５号、１０号等の刷毛を用いている。
そして、刷毛の毛部に塗料を含ませるために用いられる塗料補助具は、これら各種の刷毛を塗料容器内に入れるとき、各刷毛を挿し込み易く、挿し込んだ後はそれをしっかりと確実に保持させておき、塗装を再開するときには、その刷毛を容器から容易に取り出せるようになっていなければならない。【０００８】  塗装作業の現場において第一に強く要請されているのは、前述のとおり、作業を中断する際に、異なる種類の刷毛を、随意にすべて同様の動作ですなわちワン・タッチで簡単に、容器内の塗料の液面の高さに応じ刷毛の毛部を常に深からず、浅からぬ適度な位置に、容易に保持しておけるようにすることである。しかし、それだけでは作業が満足に継続できない。
次に要請されているのは、塗装を再開する際に、保持体と一体になっているところの（容器の上縁部をくわえこむ）係止部が動いたり上縁部から外れたりしないようになっていることである。そのようになっていないと、（そのことについての技術的配慮が無いと）、当然のことながら、塗装作業をスムーズにかつ効率よく行うことができなくなってしまうからである。前述の先行技術において特段の考慮が払われていないのは明らかである。これが、塗装職人たちにとり日常的に解決が求められていた第二の問題であった。
【先行技術文献】
【特許文献】
【０００９】
【特許文献１】  実願昭５６−１０２０００号（実開平５８−１０８７８号）のマイクロフィルム
【考案の概要】
【考案が解決しようとする課題】
【００１０】  本考案の技術課題は、器具の弾性力を利用するという技術手段を採用することによって、上述の先行技術が有する二つの問題点を解決し、とりわけ塗装職人たちにとっては、複数の異なる種類の刷毛を用い、塗料容器内における刷毛の高さの微細な調節が、随意にワン・タッチで簡単かつ確実な操作で、塗装作業を継続して極めて効率よくスムーズに行なうことができて、しかも安価な製造費で製作できる塗装補助具を提供することにある。
【課題を解決するための手段】
【００１１】  種類の異なる複数の刷毛を一つの塗料容器において同時に用いることができるようにするため、本考案は特に次の手段を採用した。
弾力性を有する合成樹脂で一体成型された塗装容器の内面に接する内接片の上縁に、複数の挟持片を設け、挟持片と内接片とで容器の上縁部をくわえこむ形の係止部を複数つくり、前記内接片に容器の内方へ突出する保持体を複数設けた。
種類の異なる複数の刷毛の毛部を、塗料用に内の液面の高さが一定しない塗料の中に、適度の高さにワン・タッチで簡単かつ確実な操作により随意に保持しておくことができ、しかもその保持を、挿し込み易く、挿し込んだ後はそれをしっかりと確実に保持させておくようにするため、本考案は特に次の手段を採用した。
前記の弾力性を有する保持体を、ハ字状の導入部と導入部に続く首部と首部に続いて首部と内接片との間に形成される腹部とから成る形にし、前記首部の横断面の径（換言すると、通路の幅員）を通常使用される各種の刷毛の柄部の長方形の横断面の短辺よりそれぞれ若干短いものとし、首部から内接片までの長さを前記柄部の横断面の長辺とほぼ同じものとした。【００１２】  この塗装補助具を、耐久性があり安価で製造できるものとし、塗料容器への装着や取り外しをスムーズにかつ効率よく常に一層確実に行うことができるようにするため、本考案は次の手段を採用した。
全体をシンナーなどの溶剤に溶けずかつ弾力性を持たせることのできる合成樹脂で一体成型し、内接片と複数の挟持片とで容器の上縁部をくわえこむ係止部の形をコ字状にし、挟持片の内接片側の内面に突起を設けた。
【考案の効果】
【００１３】  本考案を構成する各事項により奏される効果は次のとおりである。
この塗装補助具は全体をシンナーなどの溶剤に溶けない合成樹脂で一体成型されるため、金属等で成形する場合と比べ、安価に短時間で容易に成型でき、完成品は単体の部品として取り扱いも容易になり、壊れにくく長期にわたり使用できる。
この塗装補助具は、弾力性を持たせることのできる合成樹脂で一体成型されるため、その弾力により種類の異なる複数の刷毛を任意の微細な高さにワン・タッチで簡単かつ確実に塗料容器中に保持しておいたりそこから取り出し、塗装作業を支障なく再開したりすることができる。そのため、塗装作業が継続して極めて効率よくスムーズに行える。【００１４】  この塗装補助具の係止部は、弾力性を有する合成樹脂でできており、塗装容器の内面に接する内接片と内接片の上縁に設けた複数の挟持片とで、容器の上縁部をくわえこむ形になっているため、形の異なる塗料容器に対しても容易に適用され、これを塗装容器の上縁部に上方から押し込めば容器の上縁部が係止部によりくわえこまれ、塗装保持具を塗装容器に簡単に装着することができ、内接片と複数の挟持片とが、その弾力により上縁部をしっかりと挟み容易に外れないようになる。係止部を容器の上縁部から取り外すのも、その弾力に抗して補助具を上方へ引っ張り上げればよいから簡単である。。【００１５】  この塗装補助具の保持体は、その複数が前記内接片に容器の内方へ突出するように設けられ、ハ字状の導入部と導入部に続く首部と首部に続いて首部と内接片との間に形成される腹部とから成る形になっており、前記首部の横断面の径を通常使用される各種の刷毛の柄部の長方形の横断面の短辺より若干短いものとし、首部から内接片までの長さを前記柄部の横断面の長辺とほぼ同じものとしているため、次の本考案の最も特徴的でかつ重要な効果が奏される。
これは、刷毛の保持を、挿し込み易く、挿し込んだ後はそれをしっかりと確実に保持させておくようにしてほしいという現場の要請を受け、試行錯誤を繰り返した末到達した研究の成果である。端的に言うと、ハ字状部分から導入し狭い首部で締め付ける、という形が保持体の弾力性を最も効果的に利用できる形であることを見出した。【００１６】  塗装作業を中断するときにおいて、刷毛を塗装容器内の塗料に浸し、その毛部を深からず浅からぬ高さに位置させてから、刷毛の柄部を、保持体のハ字状の導入部に当て、首部を弾力に抗して通過させ、その首部から腹部を経て内接片に達するまで押し込む。すると、首部は、刷毛の（横断面が長方形の）柄部の長辺の部分を両脇から押さえ付けその弾力により柄部をしっかりとその位置に保持する。本考案はこの一連の操作がスムーズにできる形にして、刷毛の保持を、挿し込み易く、挿し込んだ後はそれをしっかりと確実に保持させておくことに成功した。
そのため、塗料容器内の塗料の液面の高さが低いときも高いときも上述の一連の操作だけで刷毛の保持が完了する。すなわち、刷毛の種類が異なっていても容器内における刷毛の高さの調節を随意にかつ微細に行ない、ワン・タッチで（すなわち、保持体がすべて導入部、首部、腹部が同じ形になっているから、すべて同じ動作で）簡単かつ確実に刷毛の毛部の位置決めをすることができる。
勿論、刷毛の柄は弾力で保持されているだけであるから、それを保持体から取り出すことも容易である。【００１７】  この効果は、前述の先行技術により奏される効果と比べ、根本的に著しく相違したところのものとなる。
すなわち、先行技術における塗料容器内の刷毛の高さの調節は、高と低の二つに限られている。それは高さの調節をＳ字状という器具の形状にのみ依存しているからにほかならない。これに対し、本考案では、高さの調節を器具の弾力性を必須不可欠の事項にして行っている。したがって、刷毛の柄部はどの個所であろうと首部の弾力によってしっかりと締め付けられ確実に保持される。そのことは、刷毛の高さ位置を、二つだけにとどまらず、柄部の全長に亘り微細に思うままに調節できることを意味するものである。この効果は、実務上極めて価値のある有用なものであると塗装職人たちによって高く評価されている。【００１８】  この塗装補助具の係止部は、内接片と複数の挟持片とで容器の上縁部をくわえこむ形がコ字状になり、挟持片の内接片側の内面に突起を設けているため、次の効果が奏される。
弾力性を有する係止部が容器の上縁部をくわえこんだ際、挟持片が複数になっているから各種の容器の異なる形の上縁部にぴったりと安定的に適合させることができ、係止部の形をコ字状にすれば、容器の上縁部への取り付け取り外しがさらに容易になり、上縁部の両面を弾力で内側と外側からしっかり挟み、挟持片の内接片側の内面に設けた突起が塗料容器の外側の段部に引っかかるから、刷毛を保持体から取り出すときになど補助具がみだりに動いたり容器の上縁部から外れたりするようなことが全く起こらなくなる。
【図面の簡単な説明】
【００１９】
【図１】（ａ）は本考案を実施するための一つの形態（以下「本考案品」という。）の平面図で、（ｂ）はその一部の側面図で、（ｃ）はその立面図である。
【図２】（ａ）は本考案品を角型の塗料容器に装着し各種の刷毛を保持させた状態を示す平面図で、（ｂ）は本考案品を丸型の塗料容器に装着し各種の刷毛を保持させた状態を示す平面図である。
【図３】塗料容器の中に一時的に入れて置かれる各種の刷毛を例示した図であり、（ａ）はその各種の刷毛の平面図であり、（ｂ）はその側面図である
【考案を実施するための形態】
【００２０】  以下、本考案の実施の形態を図に基づいて説明する。
【実施例】
【００２１】  図１に示す本考案品の全体は、シンナーなどの溶剤に溶けずかつ弾力性を持たせることのできる合成樹脂で成型されなければならない。その条件を満たす合成樹脂としては各種のもの、例えばナイロンなども考えられるが、一般的なものとして推奨されるのは、ポリプロピレンである。
図１には、係止部３の内接片１が湾曲して描かれているが、内接片１は直線状のものであってもよい。何故なら、弾力性を有する合成樹脂で作られている係止部３は、図２（ａ）に示すように内接片１を撓ませて角型など異型の塗装容器の角の部分にも容易に装着することができるからである。【００２２】  図１に示された保持体４の首部６および腹部７は、中央のものと左右のものとが大きさを異にしている。それは、通常使用される複数の形の異なる刷毛１２を、図示のように随意に使い分けて作業をすることができるようにするためである。
通常日常的に使用されている各種の刷毛を図３に例示した。これらの刷毛１２の柄部１３は、その横断面が一般に長方形をしており、その短辺１４と長辺１５の長さは、図からも見て取れるように、刷毛１２の種類が異なっても皆ほぼ同一である。
なお、短辺１４と長辺１５の長さに多少の差異はあっても、保持体４は弾力性を有する合成樹脂で作られているから、それらの刷毛１２をすべて問題なくしっかりと確実に保持させることができる。【００２３】  係止部３の挟持片２の内側には、図１（ｂ）に示すように突起８を設ける。
挟持片２は、取り付ける塗装容器の上縁部の形に応じて、単数または複数設けられる。図２（ａ）に示すように、角型の容器に取り付ける場合には、特に複数設けることが推奨される。突起８も同様に、取り付ける容器の形に応じて、その数や形状が決められなければならない。【００２４】  保持体４の首部５の横断面の径（換言すると、刷毛の柄が通る通路の幅員）は、通常使用される各種の刷毛１２の長方形の横断面の短辺１４よりそれぞれ若干短いものとしなければならない。そうしないと、本考案品の最も重要な効果すなわち弾性力によって刷毛をしっかり保持するという効果が、奏されないことになってしまう。
首部５の横断面の径は、用いられる合成樹脂の性質、通常使用される刷毛の外形、塗料を含んだ刷毛の重さ等のことを考慮して定める。【００２５】  種類の異なる複数の刷毛１２を塗料容器１６内の適度な高さにワン・タッチで保持しておく操作を例示すると、それは次のようになる。
容器１６内の塗料が多いときは、刷毛１２を容器１６内に入れ、毛部１７を塗料に浸し、深からず浅からぬ高さに位置させ、図２（ｂ）の右端の刷毛１２の場合には、合体している柄部１３，１３のいずれかの短辺１４を同図に示すように保持体４のハ字状の導入部５に当て、その柄部１３を弾力に抗して首部６を通過させ、長辺１５の長さの方向に腹部７に向けて押し込む。合体した柄部１３，１３が内接片１に達するまで押し込めば、柄部１３は保持体４の首部６においてしっかりと弾力で両側から押さえ付けられ、刷毛１２の前記の位置が確実に保持される。【００２６】  容器１６内の塗料が少ないときは、刷毛１２を容器１６内に入れ、毛部１７を塗料に浸し、深からず浅からぬ高さに位置させ、図２（ａ）に示すように、図の右端の刷毛１２の場合には、刷毛１２の柄部１３の短辺を保持体４のハ字状の導入部５に当て、図の左端と中央の刷毛１２の場合には、二股に広がっている両方の柄部１３と１３を同時に保持体４のハ字状の導入部５に当て、それらを弾力に抗して首部６を通過させ、長辺１５の長さの方向に腹部７に向けて押し込む。柄部１３または二股の柄部１３と１３が内接片１に達するまでそれを押し込めば、柄部１３または二股の柄部１３と１３は保持体４の首部６においてしっかりと弾力で両側から押さえ付けられ、刷毛１２の前記の位置が確実に保持される。
刷毛を容器内に保持する操作が、上述の２つに限られないのは、重ねて言うまでもないところであろう。【００２７】  本考案の実施に当たっては、刷毛１２の塗料容器１６内における高さの調節が随意にかつ微細に、しかも刷毛の保持がしっかりと確実に行なわれ、塗装作業を中断する際に、容器１６内の塗料の量（液面の高さ）の多寡に応じて、刷毛の高さをどのような高さにも随意に決めて、刷毛１２の毛部１７に常に適度の塗料を含ませておけるように配慮して設計することと、刷毛の保持、取り出しの際に補助具が動いたり外れたりしないように設計することとに、細心の注意がはらわれなければならない。
なお、図示した保持体４は、通常の塗装作業において最もよく使用されている３種の刷毛１２に対するものとなっているが、これに限らず、作業の態様などに応じその数を自由に増減できることは勿論である。また、各保持体４の大きさなどについても、通常の作業において用いられる刷毛１２の種類等によって適宜決められるべきものである。
【産業上の利用可能性】
【００２８】  本考案は、刷毛の毛部に適度の塗料を含ませる塗装補助具を製造する産業で利用される。
【符号の説明】
【００２９】１    内接片
２    挟持片
３    係止部
４    保持体
５    導入部
６    首部
７    腹部
８    突起
１１  塗料容器
１２  刷毛
１３  柄部
１４  短辺
１５  長辺
１６  塗料容器
１７  毛部
【図１】
0003196040.tif 000003
【図２】
0003196040.tif 000004
【図３】
0003196040.tif 000005